(57)【特許請求の範囲】
【請求項１】
画像処理装置、表示装置、可搬型記憶媒体、及びサーバ装置を含む医療用システムであって、
前記画像処理装置は、
入力された画像の識別情報を生成する生成部と、
前記画像と前記画像の識別情報とを前記可搬型記憶媒体に書き込む書き込み部と、
前記可搬型記憶媒体から、前記可搬型記憶媒体の識別情報を読み出す第１の読み出し部と、
入力された患者情報と前記画像の識別情報と前記可搬型記憶媒体の識別情報とを前記サーバ装置へ送信する第１の送信部と、
前記可搬型記憶媒体から、画像と前記画像の識別情報と前記可搬型記憶媒体の識別情報とを読み出す第２の読み出し部と、
前記第２の読み出し部により読み出された前記画像の識別情報と前記可搬型記憶媒体の識別情報とを前記サーバ装置へ送信する第２の送信部と、
前記第２の送信部により送信された前記画像の識別情報と前記可搬型記憶媒体の識別情報とに対応する患者情報又は対応患者情報無し情報を前記サーバ装置から受信する受信部と、
前記第２の読み出し部により読み出された前記画像と前記受信部により受信された前記患者情報、又は、前記第２の読み出し部により読み出された前記画像、を前記表示装置に表示させる表示制御部と、
を備え、
前記サーバ装置は、
前記画像処理装置の前記第１の送信部により送信された前記患者情報と前記画像の識別情報と前記可搬型記憶媒体の識別情報とを受信する第１の受信部と、
前記第１の受信部により受信された前記患者情報と前記画像の識別情報と前記可搬型記憶媒体の識別情報とを記憶する記憶部と、
前記画像処理装置の前記第２の送信部により送信された前記画像の識別情報と前記可搬型記憶媒体の識別情報とを受信する第２の受信部と、
前記第２の受信部により受信された前記画像の識別情報と前記可搬型記憶媒体の識別情報とに対応する患者情報を前記記憶部から検索する第１の検索部と、
前記第１の検索部により検索された前記患者情報又は対応患者情報無し情報を前記画像処理装置へ送信する第１の送信部と、
を備える、
ことを特徴とする医療用システム。
【請求項２】
端末装置を更に含み、
前記端末装置は、
前記可搬型記憶媒体から、画像と前記画像の識別情報と前記可搬型記憶媒体の識別情報とを読み出す読み出し部と、
前記読み出し部により読み出された前記画像の識別情報と前記可搬型記憶媒体の識別情報とを前記サーバ装置へ送信する送信部と、
前記送信部により送信された前記画像の識別情報と前記可搬型記憶媒体の識別情報とに対応する患者情報又は対応患者情報無し情報を前記サーバ装置から受信する受信部と、
前記読み出し部により読み出された前記画像と前記受信部により受信された前記患者情報、又は、前記読み出し部により読み出された前記画像、を表示する表示部と、
を備え、
前記サーバ装置は、
前記端末装置の前記送信部により送信された前記画像の識別情報と前記可搬型記憶媒体の識別情報とを受信する第３の受信部と、
前記第３の受信部により受信された前記画像の識別情報と前記可搬型記憶媒体の識別情報とに対応する患者情報を前記記憶部から検索する第２の検索部と、
前記第２の検索部により検索された前記患者情報又は対応患者情報無し情報を前記端末装置へ送信する第２の送信部と、
を更に備える、
ことを特徴とする請求項１記載の医療用システム。
【請求項３】
入力された画像の識別情報を生成する生成部と、
前記画像と前記画像の識別情報とを前記可搬型記憶媒体に書き込む書き込み部と、
前記可搬型記憶媒体から、前記可搬型記憶媒体の識別情報を読み出す第１の読み出し部と、
入力された患者情報と前記画像の識別情報と前記可搬型記憶媒体の識別情報とをサーバ装置へ送信する第１の送信部と、
前記可搬型記憶媒体から、画像と前記画像の識別情報と前記可搬型記憶媒体の識別情報とを読み出す第２の読み出し部と、
前記第２の読み出し部により読み出された前記画像の識別情報と前記可搬型記憶媒体の識別情報とを前記サーバ装置へ送信する第２の送信部と、
前記第２の送信部により送信された前記画像の識別情報と前記可搬型記憶媒体の識別情報とに対応する患者情報又は対応患者情報無し情報を前記サーバ装置から受信する受信部と、
前記第２の読み出し部により読み出された前記画像と前記受信部により受信された前記患者情報、又は、前記第２の読み出し部により読み出された前記画像、を表示装置に表示させる表示制御部と、
を備えることを特徴とする画像処理装置。
【請求項４】
前記表示制御部は、前記受信部が前記対応患者情報無し情報を受信した場合に、前記第２の読み出し部により読み出された前記画像を前記表示装置に表示させる、
ことを特徴とする請求項３記載の画像処理装置。
【請求項５】
可搬型記憶媒体から、画像と前記画像の識別情報と前記可搬型記憶媒体の識別情報とを読み出す読み出し部と、
前記読み出し部により読み出された前記画像の識別情報と前記可搬型記憶媒体の識別情報とをサーバ装置へ送信する送信部と、
前記送信部により送信された前記画像の識別情報と前記可搬型記憶媒体の識別情報とに対応する患者情報又は対応患者情報無し情報を前記サーバ装置から受信する受信部と、
前記読み出し部により読み出された前記画像と前記受信部により受信された前記患者情報、又は、前記読み出し部により読み出された前記画像、を表示する表示部と、
を備えることを特徴とする端末装置。
【請求項６】
前記表示部は、前記受信部が前記対応患者情報無し情報を受信した場合に、前記読み出し部により読み出された前記画像を表示する、
ことを特徴とする請求項５記載の端末装置。
【請求項７】
画像処理装置又は端末装置により送信された患者情報と画像の識別情報と可搬型記憶媒体の識別情報とを受信する第１の受信部と、
前記第１の受信部により受信された前記患者情報と前記画像の識別情報と前記可搬型記憶媒体の識別情報とを記憶する記憶部と、
前記画像処理装置又は前記端末装置により送信された画像の識別情報と可搬型記憶媒体の識別情報とを受信する第２の受信部と、
前記第２の受信部により受信された前記画像の識別情報と前記可搬型記憶媒体の識別情報とに対応する患者情報を前記記憶部から検索する検索部と、
前記検索部により検索された前記患者情報又は対応患者情報無し情報を前記画像処理装置又は前記端末装置へ送信する送信部と、
を備えることを特徴とするサーバ装置。
【請求項８】
前記送信部は、前記検索部による検索の結果、前記第２の受信部により受信された前記画像の識別情報と前記可搬型記憶媒体の識別情報とに対応する患者情報が前記記憶部から検索されなかった場合には、前記対応患者情報無し情報を前記画像処理装置又は前記端末装置へ送信する、
ことを特徴とする請求項７記載のサーバ装置。
【請求項９】
画像処理装置、表示装置、可搬型記憶媒体、及びサーバ装置を含む医療用システムの情報表示方法であって、
前記画像処理装置は、
入力された画像の識別情報を生成し、
前記画像と前記画像の識別情報とを前記可搬型記憶媒体に書き込み、
前記可搬型記憶媒体から、前記可搬型記憶媒体の識別情報を読み出し、
入力された患者情報と前記画像の識別情報と前記可搬型記憶媒体の識別情報とを前記サーバ装置へ送信し、
前記サーバ装置は、
前記画像処理装置により送信された前記患者情報と前記画像の識別情報と前記可搬型記憶媒体の識別情報とを受信し、
前記受信した前記患者情報と前記画像の識別情報と前記可搬型記憶媒体の識別情報とを記憶部に記憶し、
前記画像処理装置は、
前記可搬型記憶媒体から、画像と前記画像の識別情報と前記可搬型記憶媒体の識別情報とを読み出し、
前記読み出した前記画像の識別情報と前記可搬型記憶媒体の識別情報とを前記サーバ装置へ送信し、
前記サーバ装置は、
前記画像処理装置により送信された前記画像の識別情報と前記可搬型記憶媒体の識別情報とを受信し、
前記受信した前記画像の識別情報と前記可搬型記憶媒体の識別情報とに対応する患者情報を前記記憶部から検索し、
前記検索した前記患者情報又は対応患者情報無し情報を前記画像処理装置へ送信し、
前記画像処理装置は、
サーバ装置により送信された前記患者情報又は対応患者情報無し情報を受信し、
前記読み出した前記画像と前記受信した前記患者情報、又は、前記読み出した前記画像、を前記表示装置に表示させる、
ことを特徴とする情報表示方法。
【請求項１０】
前記医療用システムは、端末装置を更に含み、
前記端末装置は、
前記可搬型記憶媒体から、画像と前記画像の識別情報と前記可搬型記憶媒体の識別情報とを読み出し、
前記読み出した前記画像の識別情報と前記可搬型記憶媒体の識別情報とを前記サーバ装置へ送信し、
前記サーバ装置は、
前記端末装置により送信された前記画像の識別情報と前記可搬型記憶媒体の識別情報とを受信し、
前記受信した前記画像の識別情報と前記可搬型記憶媒体の識別情報とに対応する患者情報を前記記憶部から検索し、
前記検索した前記患者情報又は対応患者情報無し情報を前記端末装置へ送信し、
前記端末装置は、
前記サーバ装置により送信された前記患者情報又は対応患者情報無し情報を受信し、
前記読み出した前記画像と前記受信した前記患者情報、又は、前記読み出した前記画像、を表示する、
ことを特徴とする請求項９記載の情報表示方法。
【発明の詳細な説明】
【技術分野】
【０００１】
本発明は、医療機関等で使用される医療用システムに関する。
【背景技術】
【０００２】
従来、医療機関等で使用される医療用システムとして、内視鏡システムがある。
内視鏡システムは、例えば、電子内視鏡、モニター、内視鏡ビデオプロセッサ、端末装置、及び可搬型メモリ等を含み、内視鏡検査時や検査結果閲覧時には、次のような処理を行っている。内視鏡検査時には、内視鏡ビデオプロセッサが、電子内視鏡により取得された検査画像を、入力された患者情報（検査対象者の情報）と共に、可搬型メモリに保存する等の処理を行っている。検査結果閲覧時には、内視鏡ビデオプロセッサが、可搬型メモリに保存されている検査画像及び患者情報を読み出し、それをモニターに表示させる等の処理を行っている。あるいは、その可搬型メモリが装着された端末装置が、可搬型メモリに保存されている検査画像及び患者情報を読み出し、それを表示部に表示する等の処理を行っている。【０００３】
また、内視鏡システムに関し、次のような装置も知られている。その装置は、ビデオ内視鏡、モニター、画像制御装置、ＩＣメモリカード等を含む内視鏡画像記録装置であって、検査時には、画像制御装置が、ビデオ内視鏡により得られた内視鏡画像を患者データと共にＩＣメモリカードに記録する等の処理を行っている（例えば特許文献１参照）。
【先行技術文献】
【特許文献】
【０００４】
【特許文献１】特開平５−２７４３７７号公報
【発明の概要】
【発明が解決しようとする課題】
【０００５】
内視鏡システムの運用においては、一般に、検査画像と共に患者情報が保存された可搬型メモリは、個人情報保護の観点から、第三者（関係者以外の者）による使用（例えば閲覧や持ち出し等）が行われないように管理されている。【０００６】
しかしながら、盗難や紛失等といった不測の事態により可搬型メモリが第三者の手に渡った場合には、患者情報流出の可能性がある。
本発明は、上記に鑑み、可搬型メモリの盗難や紛失等といった不測の事態が生じた場合であっても患者情報を保護することができる、医療用システム、画像処理装置、端末装置、サーバ装置、及び情報表示方法を提供することを目的とする。
【課題を解決するための手段】
【０００７】
本発明の第１の態様は、画像処理装置、表示装置、可搬型記憶媒体、及びサーバ装置を含む医療用システムであって、前記画像処理装置は、入力された画像の識別情報を生成する生成部と、前記画像と前記画像の識別情報とを前記可搬型記憶媒体に書き込む書き込み部と、前記可搬型記憶媒体から、前記可搬型記憶媒体の識別情報を読み出す第１の読み出し部と、入力された患者情報と前記画像の識別情報と前記可搬型記憶媒体の識別情報とを前記サーバ装置へ送信する第１の送信部と、前記可搬型記憶媒体から、画像と前記画像の識別情報と前記可搬型記憶媒体の識別情報とを読み出す第２の読み出し部と、前記第２の読み出し部により読み出された前記画像の識別情報と前記可搬型記憶媒体の識別情報とを前記サーバ装置へ送信する第２の送信部と、前記第２の送信部により送信された前記画像の識別情報と前記可搬型記憶媒体の識別情報とに対応する患者情報又は対応患者情報無し情報を前記サーバ装置から受信する受信部と、前記第２の読み出し部により読み出された前記画像と前記受信部により受信された前記患者情報、又は、前記第２の読み出し部により読み出された前記画像、を前記表示装置に表示させる表示制御部と、を備え、前記サーバ装置は、前記画像処理装置の前記第１の送信部により送信された前記患者情報と前記画像の識別情報と前記可搬型記憶媒体の識別情報とを受信する第１の受信部と、前記第１の受信部により受信された前記患者情報と前記画像の識別情報と前記可搬型記憶媒体の識別情報とを記憶する記憶部と、前記画像処理装置の前記第２の送信部により送信された前記画像の識別情報と前記可搬型記憶媒体の識別情報とを受信する第２の受信部と、前記第２の受信部により受信された前記画像の識別情報と前記可搬型記憶媒体の識別情報とに対応する患者情報を前記記憶部から検索する第１の検索部と、前記第１の検索部により検索された前記患者情報又は対応患者情報無し情報を前記画像処理装置へ送信する第１の送信部と、を備える、医療用システムを提供する。【０００８】
本発明の第２の態様は、第１の態様において、端末装置を更に含み、前記端末装置は、前記可搬型記憶媒体から、画像と前記画像の識別情報と前記可搬型記憶媒体の識別情報とを読み出す読み出し部と、前記読み出し部により読み出された前記画像の識別情報と前記可搬型記憶媒体の識別情報とを前記サーバ装置へ送信する送信部と、前記送信部により送信された前記画像の識別情報と前記可搬型記憶媒体の識別情報とに対応する患者情報又は対応患者情報無し情報を前記サーバ装置から受信する受信部と、前記読み出し部により読み出された前記画像と前記受信部により受信された前記患者情報、又は、前記読み出し部により読み出された前記画像、を表示する表示部と、を備え、前記サーバ装置は、前記端末装置の前記送信部により送信された前記画像の識別情報と前記可搬型記憶媒体の識別情報とを受信する第３の受信部と、前記第３の受信部により受信された前記画像の識別情報と前記可搬型記憶媒体の識別情報とに対応する患者情報を前記記憶部から検索する第２の検索部と、前記第２の検索部により検索された前記患者情報又は対応患者情報無し情報を前記端末装置へ送信する第２の送信部と、を更に備える、医療用システムを提供する。【０００９】
本発明の第３の態様は、入力された画像の識別情報を生成する生成部と、前記画像と前記画像の識別情報とを前記可搬型記憶媒体に書き込む書き込み部と、前記可搬型記憶媒体から、前記可搬型記憶媒体の識別情報を読み出す第１の読み出し部と、入力された患者情報と前記画像の識別情報と前記可搬型記憶媒体の識別情報とをサーバ装置へ送信する第１の送信部と、前記可搬型記憶媒体から、画像と前記画像の識別情報と前記可搬型記憶媒体の識別情報とを読み出す第２の読み出し部と、前記第２の読み出し部により読み出された前記画像の識別情報と前記可搬型記憶媒体の識別情報とを前記サーバ装置へ送信する第２の送信部と、前記第２の送信部により送信された前記画像の識別情報と前記可搬型記憶媒体の識別情報とに対応する患者情報又は対応患者情報無し情報を前記サーバ装置から受信する受信部と、前記第２の読み出し部により読み出された前記画像と前記受信部により受信された前記患者情報、又は、前記第２の読み出し部により読み出された前記画像、を表示装置に表示させる表示制御部と、を備える画像処理装置を提供する。【００１０】
本発明の第４の態様は、第３の態様において、前記表示制御部は、前記受信部が前記対応患者情報無し情報を受信した場合に、前記第２の読み出し部により読み出された前記画像を前記表示装置に表示させる、画像処理装置を提供する。【００１１】
本発明の第５の態様は、可搬型記憶媒体から、画像と前記画像の識別情報と前記可搬型記憶媒体の識別情報とを読み出す読み出し部と、前記読み出し部により読み出された前記画像の識別情報と前記可搬型記憶媒体の識別情報とをサーバ装置へ送信する送信部と、前記送信部により送信された前記画像の識別情報と前記可搬型記憶媒体の識別情報とに対応する患者情報又は対応患者情報無し情報を前記サーバ装置から受信する受信部と、前記読み出し部により読み出された前記画像と前記受信部により受信された前記患者情報、又は、前記読み出し部により読み出された前記画像、を表示する表示部と、を備える端末装置を提供する。【００１２】
本発明の第６の態様は、第５の態様において、前記表示部は、前記受信部が前記対応患者情報無し情報を受信した場合に、前記読み出し部により読み出された前記画像を表示する、端末装置を提供する。【００１３】
本発明の第７の態様は、画像処理装置又は端末装置により送信された患者情報と画像の識別情報と可搬型記憶媒体の識別情報とを受信する第１の受信部と、前記第１の受信部により受信された前記患者情報と前記画像の識別情報と前記可搬型記憶媒体の識別情報とを記憶する記憶部と、前記画像処理装置又は前記端末装置により送信された画像の識別情報と可搬型記憶媒体の識別情報とを受信する第２の受信部と、前記第２の受信部により受信された前記画像の識別情報と前記可搬型記憶媒体の識別情報とに対応する患者情報を前記記憶部から検索する検索部と、前記検索部により検索された前記患者情報又は対応患者情報無し情報を前記画像処理装置又は前記端末装置へ送信する送信部と、を備えるサーバ装置を提供する。【００１４】
本発明の第８の態様は、第７の態様において、前記送信部は、前記検索部による検索の結果、前記第２の受信部により受信された前記画像の識別情報と前記可搬型記憶媒体の識別情報とに対応する患者情報が前記記憶部から検索されなかった場合には、前記対応患者情報無し情報を前記画像処理装置又は前記端末装置へ送信する、サーバ装置を提供する。【００１５】
本発明の第９の態様は、画像処理装置、表示装置、可搬型記憶媒体、及びサーバ装置を含む医療用システムの情報表示方法であって、前記画像処理装置は、入力された画像の識別情報を生成し、前記画像と前記画像の識別情報とを前記可搬型記憶媒体に書き込み、前記可搬型記憶媒体から、前記可搬型記憶媒体の識別情報を読み出し、入力された患者情報と前記画像の識別情報と前記可搬型記憶媒体の識別情報とを前記サーバ装置へ送信し、前記サーバ装置は、前記画像処理装置により送信された前記患者情報と前記画像の識別情報と前記可搬型記憶媒体の識別情報とを受信し、前記受信した前記患者情報と前記画像の識別情報と前記可搬型記憶媒体の識別情報とを記憶部に記憶し、前記画像処理装置は、前記可搬型記憶媒体から、画像と前記画像の識別情報と前記可搬型記憶媒体の識別情報とを読み出し、前記読み出した前記画像の識別情報と前記可搬型記憶媒体の識別情報とを前記サーバ装置へ送信し、前記サーバ装置は、前記画像処理装置により送信された前記画像の識別情報と前記可搬型記憶媒体の識別情報とを受信し、前記受信した前記画像の識別情報と前記可搬型記憶媒体の識別情報とに対応する患者情報を前記記憶部から検索し、前記検索した前記患者情報又は対応患者情報無し情報を前記画像処理装置へ送信し、前記画像処理装置は、サーバ装置により送信された前記患者情報又は対応患者情報無し情報を受信し、前記読み出した前記画像と前記受信した前記患者情報、又は、前記読み出した前記画像、を前記表示装置に表示させる、情報表示方法を提供する。【００１６】
本発明の第１０の態様は、第９の態様において、前記医療用システムは、端末装置を更に含み、前記端末装置は、前記可搬型記憶媒体から、画像と前記画像の識別情報と前記可搬型記憶媒体の識別情報とを読み出し、前記読み出した前記画像の識別情報と前記可搬型記憶媒体の識別情報とを前記サーバ装置へ送信し、前記サーバ装置は、前記端末装置により送信された前記画像の識別情報と前記可搬型記憶媒体の識別情報とを受信し、前記受信した前記画像の識別情報と前記可搬型記憶媒体の識別情報とに対応する患者情報を前記記憶部から検索し、前記検索した前記患者情報又は対応患者情報無し情報を前記端末装置へ送信し、前記端末装置は、前記サーバ装置により送信された前記患者情報又は対応患者情報無し情報を受信し、前記読み出した前記画像と前記受信した前記患者情報、又は、前記読み出した前記画像、を表示する、情報表示方法を提供する。
【発明の効果】
【００１７】
本発明によれば、可搬型メモリの盗難や紛失等といった不測の事態が生じた場合であっても患者情報を保護することができる。
【図面の簡単な説明】
【００１８】
【図１】一実施の形態に係る医療用システムである内視鏡システムの構成例を示す図である。
【図２】可搬型メモリの画像情報記憶領域に記憶される画像情報のデータ構造例を示す図である。
【図３】サーバ装置のデータベース部に記憶される患者管理情報のデータ構造例を示す図である。
【図４】内視鏡検査時に行われる内視鏡システムの動作を示すフローチャートの一例である。
【図５】内視鏡検査結果閲覧時に行われる内視鏡システムの動作を示すフローチャートの一例である。
【発明を実施するための形態】
【００１９】
以下、図面を参照しながら、本発明の実施の形態について説明する。
本発明の一実施の形態に係る医療用システムは、医療機関等（例えば病院）で使用される内視鏡システムである。
【００２０】
図１は、その内視鏡システムの構成例を示す図である。
図１に示したように、内視鏡システム１００は、スコープ（電子内視鏡）２００、入力装置３００、モニター４００、内視鏡ビデオプロセッサ５００、可搬型メモリ６００、端末装置７００、サーバ装置８００、及び院内ＬＡＮ（Local Area Network）９００を含む。スコープ２００、入力装置３００、及びモニター４００は、内視鏡ビデオプロセッサ５００に接続されている。可搬型メモリ６００は、内視鏡ビデオプロセッサ５００及び端末装置７００に対して着脱自在なメモリであって、同図では、内視鏡ビデオプロセッサ５００に装着されている例を示している。内視鏡ビデオプロセッサ５００、端末装置７００、及びサーバ装置８００は、院内ＬＡＮ９００に接続されている。
【００２１】
内視鏡システム１００において、スコープ２００は、被写体を撮像して画像（検査画像、内視鏡画像）を取得し、それを内視鏡ビデオプロセッサ５００へ出力する。
入力装置３００は、例えばキーボード、マウス、タッチパネル等であって、ユーザ（例えば医師や看護師等）からの各種の入力（例えば患者情報等の入力）を受け付け、それを内視鏡ビデオプロセッサ５００へ出力する。
【００２２】
モニター４００は、例えば液晶ディスプレイ装置等であって、内視鏡ビデオプロセッサ５００から出力される映像信号に応じて各種の表示を行う。
内視鏡ビデオプロセッサ５００は、画像ＩＤ（Identification）生成部５１０、メモリアクセス部５２０、通信部５３０、及び制御部５４０を含む。
【００２３】
画像ＩＤ生成部５１０は、スコープ２００から内視鏡ビデオプロセッサ５００に入力された画像の識別情報となる画像ＩＤを生成する。
メモリアクセス部５２０は、内視鏡ビデオプロセッサ５００に装着された可搬型メモリ６００に対して、情報の書き込み及び読み出しを行う。詳しくは後述するが、メモリアクセス部５２０は、例えば、画像と画像ＩＤとを可搬型メモリ６００に書き込むことや、可搬型メモリ６００から当該メモリの識別情報であるメモリＩＤを読み出すことや、可搬型メモリ６００から画像と画像ＩＤとメモリＩＤとを読み出すこと等を行う。
【００２４】
通信部５３０は、院内ＬＡＮ９００に接続されている外部装置（例えばサーバ装置８００）と、通信を行う。詳しくは後述するが、通信部５３０は、例えば、画像ＩＤとメモリＩＤと内視鏡ビデオプロセッサ５００に入力された患者情報とをサーバ装置８００へ送信することや、メモリアクセス部５２０により読み出された画像ＩＤとメモリＩＤとをサーバ装置８００へ送信することや、その画像ＩＤとメモリＩＤとに対応する患者情報又は対応患者情報無し情報をサーバ装置８００から受信すること等を行う。
【００２５】
制御部５４０は、内視鏡ビデオプロセッサ５００の全体動作を制御すると共に、スコープ２００、入力装置３００、及びモニター４００の制御も行う。詳しくは後述するが、制御部５４０は、例えば、メモリアクセス部５２０により読み出された画像と通信部５３０により受信された患者情報、又は、メモリアクセス部５２０により読み出された画像、をモニター４００に表示させること等を行う。
【００２６】
可搬型メモリ６００は、例えばＵＳＢ（Universal Serial Bus）メモリ等の可搬型の不揮発性メモリであって、当該メモリの識別情報であるメモリＩＤが記憶されるメモリＩＤ記憶領域６１０と、画像情報が記憶される画像情報記憶領域６２０を含む。なお、メモリＩＤ記憶領域６１０に記憶されるメモリＩＤは、例えば、可搬型メモリ６００の工場出荷時等に記憶されるものであり、原則として、ユーザが書き換えることはできないものである。また、画像情報記憶領域６２０に記憶される画像情報は、画像ＩＤ毎に、図２に示すように、画像ＩＤとそれに関連付けされた画像（検査画像）とを含むデータ構造を有する。
【００２７】
端末装置７００は、例えばＰＣ（Personal Computer）やタブレット端末装置等であって、入力部７１０、表示部７２０、メモリアクセス部７３０、通信部７４０、及び制御部７５０を含む。
入力部７１０は、例えばキーボード、マウス、タッチパネル等であって、ユーザからの各種の入力を受け付け、それを制御部７５０へ出力する。
【００２８】
表示部７２０は、例えば液晶ディスプレイ部等であって、制御部７５０から出力される映像信号に応じて各種の表示を行う。詳しくは後述するが、表示部７２０は、例えば、メモリアクセス部７３０により読み出された画像と通信部７４０により受信された患者情報、又は、メモリアクセス部７３０により読み出された画像、を表示すること等を行う。
【００２９】
メモリアクセス部７３０は、端末装置７００に装着された可搬型メモリ６００に対して、情報の書き込み及び読み出しを行う。詳しくは後述するが、メモリアクセス部７３０は、例えば、可搬型メモリ６００から画像と画像ＩＤとメモリＩＤとを読み出すこと等を行う。
【００３０】
通信部７４０は、院内ＬＡＮ９００に接続されている外部装置（例えばサーバ装置８００）と、通信を行う。詳しくは後述するが、通信部７４０は、例えば、メモリアクセス部７３０により読み出された画像ＩＤとメモリＩＤとをサーバ装置８００へ送信することや、その画像ＩＤとメモリＩＤとに対応する患者情報又は対応患者情報無し情報をサーバ装置８００から受信すること等を行う。
【００３１】
制御部７５０は、端末装置７００の全体動作を制御する。
サーバ装置８００は、データベース部８１０、通信部８２０、及び制御部８３０を含む。
【００３２】
データベース部８１０は、患者管理情報等が記憶される。患者管理情報は、画像ＩＤ毎に、図３に示すように、画像ＩＤとそれに関連付けされたメモリＩＤ及び患者情報とを含むデータ構造を有する。詳しくは後述するが、データベース部８１０に記憶される患者管理情報における、画像ＩＤ、メモリＩＤ、及び患者情報は、例えば、通信部８２０により受信されたものである。
【００３３】
通信部８２０は、院内ＬＡＮ９００に接続されている外部装置（例えば内視鏡ビデオプロセッサ５００、端末装置７００）と、通信を行う。詳しくは後述するが、通信部８２０は、例えば、内視鏡ビデオプロセッサ５００の通信部５３０により送信された患者情報と画像ＩＤとメモリＩＤとを受信することや、内視鏡ビデオプロセッサ５００の通信部５３０により送信された画像ＩＤとメモリＩＤとを受信することや、端末装置７００の通信部７４０により送信された画像ＩＤとメモリＩＤとを受信することや、制御部８３０により検索された患者情報又は対応患者情報無し情報を内視鏡ビデオプロセッサ５００又は端末装置７００へ送信すること等を行う。
【００３４】
制御部８３０は、サーバ装置８００の全体動作（患者情報管理動作を含む）を制御する。詳しくは後述するが、制御部８３０は、例えば、通信部８２０により受信された画像ＩＤとメモリＩＤとに対応する患者情報をデータベース部８１０から検索すること等を行う。
【００３５】
院内ＬＡＮ９００は、有線ＬＡＮ及び無線ＬＡＮの一方又は両方からなる。
なお、内視鏡システム１００において、モニター４００は、表示装置の一例である。内視鏡ビデオプロセッサ５００は、画像処理装置の一例である。可搬型メモリ６００は、可搬型記憶媒体の一例である。
【００３６】
また、内視鏡ビデオプロセッサ５００において、画像ＩＤ生成部５１０は、入力された画像の識別情報を生成する生成部の一例である。メモリアクセス部５２０は、画像と画像の識別情報とを可搬型記憶媒体に書き込む書き込み部、可搬型記憶媒体から可搬型記憶媒体の識別情報を読み出す第１の読み出し部、及び、可搬型記憶媒体から画像と画像の識別情報と可搬型記憶媒体の識別情報とを読み出す第２の読み出し部の一例である。通信部５３０は、入力された患者情報と画像の識別情報と可搬型記憶媒体の識別情報とをサーバ装置へ送信する第１の送信部、第２の読み出し部により読み出された画像の識別情報と可搬型記憶媒体の識別情報とをサーバ装置へ送信する第２の送信部、及び、第２の送信部により送信された画像の識別情報と可搬型記憶媒体の識別情報とに対応する患者情報又は対応患者情報無し情報をサーバ装置から受信する受信部の一例である。制御部５４０は、第２の読み出し部により読み出された画像と受信部により受信された患者情報、又は、第２の読み出し部により読み出された画像、を表示装置に表示させる表示制御部の一例である。
【００３７】
また、端末装置７００において、メモリアクセス部７３０は、可搬型記憶媒体から画像と画像の識別情報と可搬型記憶媒体の識別情報とを読み出す読み出し部の一例である。通信部７４０は、読み出し部により読み出された画像の識別情報と可搬型記憶媒体の識別情報とをサーバ装置へ送信する送信部、及び、送信部により送信された画像の識別情報と可搬型記憶媒体の識別情報とに対応する患者情報又は対応患者情報無し情報をサーバ装置から受信する受信部の一例である。表示部７２０は、読み出し部により読み出された画像と受信部により受信された患者情報、又は、読み出し部により読み出された画像、を表示する表示部の一例である。
【００３８】
また、サーバ装置８００において、通信部８２０は、画像処理装置の第１の送信部により送信された患者情報と画像の識別情報と可搬型記憶媒体の識別情報とを受信する第１の受信部、画像処理装置の第２の送信部により送信された画像の識別情報と可搬型記憶媒体の識別情報とを受信する第２の受信部、第１の検索部により検索された患者情報又は対応患者情報無し情報を画像処理装置へ送信する第１の送信部、端末装置の送信部により送信された画像の識別情報と可搬型記憶媒体の識別情報とを受信する第３の受信部、及び、第２の検索部により検索された患者情報又は対応患者情報無し情報を端末装置へ送信する第２の送信部の一例である。データベース部８１０は、第１の受信部により受信された患者情報と画像の識別情報と可搬型記憶媒体の識別情報とを記憶する記憶部の一例である。制御部８３０は、第２の受信部により受信された画像の識別情報と可搬型記憶媒体の識別情報とに対応する患者情報を記憶部から検索する第１の検索部、及び、第３の受信部により受信された画像の識別情報と可搬型記憶媒体の識別情報とに対応する患者情報を記憶部から検索する第２の検索部の一例である。
【００３９】
また、サーバ装置８００において、通信部８２０は、画像処理装置又は端末装置により送信された患者情報と画像の識別情報と可搬型記憶媒体の識別情報とを受信する第１の受信部、画像処理装置又は端末装置により送信された画像の識別情報と可搬型記憶媒体の識別情報とを受信する第２の受信部、及び、検索部により検索された患者情報又は対応患者情報無し情報を画像処理装置又は端末装置へ送信する送信部の一例でもある。データベース部８１０は、第１の受信部により受信された患者情報と画像の識別情報と可搬型記憶媒体の識別情報とを記憶する記憶部の一例でもある。制御部８３０は、第２の受信部により受信された画像の識別情報と可搬型記憶媒体の識別情報とに対応する患者情報を記憶部から検索する検索部の一例でもある。
【００４０】
次に、内視鏡システム１００の動作について説明する。
ここでは、一例として、内視鏡検査時及び内視鏡検査結果閲覧時に行われる内視鏡システム１００の動作について説明する。
【００４１】
図４は、内視鏡検査時に行われる内視鏡システム１００の動作を示すフローチャートの一例である。
図４に示したように、検査対象者である患者の内視鏡検査時において、内視鏡ビデオプロセッサ５００の制御部５４０は、まず、入力装置３００を介してユーザにより入力された患者情報を取得する（Ｓ１００）。なお、患者情報は、検査対象者である患者に関する情報であって、例えば、患者の氏名、年齢、連絡先、既往歴等といった患者の個人情報を含む。また、Ｓ１００において、患者情報の入力は、入力装置３００に限らず、例えば、院内ＬＡＮ９００に接続されている外部装置（例えば端末装置７００の入力部７１０等）を介して入力され、内視鏡ビデオプロセッサ５００の制御部５４０に取得されるようにしてもよい。
【００４２】
続いて、制御部５４０は、スコープ２００により撮像され、スコープ２００から内視鏡ビデオプロセッサ５００に入力された患者の画像（検査画像、内視鏡画像）を取得する（Ｓ１１０）。
【００４３】
続いて、内視鏡ビデオプロセッサ５００の画像ＩＤ生成部５１０は、Ｓ１１０で取得された画像の画像ＩＤを生成する（Ｓ１２０）。
続いて、内視鏡ビデオプロセッサ５００のメモリアクセス部５２０は、Ｓ１１０で取得された画像（検査画像）とＳ１２０で生成された画像ＩＤとを、図２に示したデータ構造に従って、可搬型メモリ６００の画像情報記憶領域６２０に書き込む（保存する）（Ｓ１３０）。
【００４４】
続いて、メモリアクセス部５２０は、可搬型メモリ６００のメモリＩＤ記憶領域６１０からメモリＩＤを読み出す（Ｓ１４０）。
続いて、内視鏡ビデオプロセッサ５００の通信部５３０は、Ｓ１００で取得された患者情報とＳ１２０で生成された画像ＩＤとＳ１４０で読み出されたメモリＩＤとをサーバ装置８００のデータベース部８１０に保存させるための保存要求をサーバ装置８００へ送信する（Ｓ１５０）。なお、この保存要求は、Ｓ１００で取得された患者情報とＳ１２０で生成された画像ＩＤとＳ１４０で読み出されたメモリＩＤとを含む。
【００４５】
続いて、サーバ装置８００の通信部８２０は、Ｓ１５０で送信された保存要求を受信し、サーバ装置８００の制御部８３０は、その保存要求に含まれる患者情報、画像ＩＤ、及びメモリＩＤを、図３に示したデータ構造に従ってデータベース部８１０に記憶（保存）する（Ｓ１６０）。
【００４６】
続いて、内視鏡ビデオプロセッサ５００の制御部５４０は、検査対象者である患者の内視鏡検査が終了したか否かを判定する（Ｓ１７０）。なお、この判定では、例えば、入力装置３００を介して検査終了指示がユーザにより入力された場合にＳ１７０の判定結果がＹｅｓとなり、そうでない場合にはＳ１７０の判定結果がＮｏとなる。
【００４７】
Ｓ１７０の判定において、その判定結果がＮｏの場合には処理がＳ１１０へ戻り、Ｙｅｓの場合には本動作が終了する。
このような動作により、内視鏡検査時には、内視鏡ビデオプロセッサ５００がスコープ２００から画像を取得する毎に、その画像とその画像ＩＤとが関連付けされて可搬型メモリ６００に記憶されるようになる。また、それと共に、その画像ＩＤと可搬型メモリ６００のメモリＩＤと患者情報とが関連付けされてサーバ装置８００のデータベース部８１０に記憶されるようになる。
【００４８】
図５は、内視鏡検査結果閲覧時に行われる内視鏡システム１００の動作を示すフローチャートの一例である。
図５に示したように、内視鏡検査結果閲覧時において、内視鏡ビデオプロセッサ５００の制御部５４０は、入力装置３００を介してユーザにより入力された画像閲覧指示を受け付けたか否かを判定する（Ｓ２００）。なお、この画像閲覧指示は、可搬型メモリ６００の画像情報記憶領域６２０に記憶されている特定の画像に対する閲覧指示である。
【００４９】
Ｓ２００の判定結果がＮｏの場合には、本判定を繰り返す。
一方、Ｓ２００の判定結果がＹｅｓの場合、続いて、内視鏡ビデオプロセッサ５００のメモリアクセス部５２０は、その画像閲覧指示に応じた画像とその画像ＩＤとを可搬型メモリ６００の画像情報記憶領域６２０から読み出すと共に、可搬型メモリ６００のメモリＩＤ記憶領域６１０からメモリＩＤを読み出す（Ｓ２１０）。
【００５０】
続いて、内視鏡ビデオプロセッサ５００の通信部５３０は、Ｓ２１０で読み出された画像（画像閲覧指示に応じた画像）に対応する患者情報をサーバ装置８００に問い合わせるための問い合わせ要求をサーバ装置８００へ送信する（Ｓ２２０）。なお、この問い合わせ要求は、Ｓ２１０で読み出された画像ＩＤとメモリＩＤとを含む。
【００５１】
続いて、サーバ装置８００の通信部８２０は、Ｓ２２０で送信された問い合わせ要求を受信し、サーバ装置８００の制御部８３０は、その問い合わせ要求に含まれる画像ＩＤとメモリＩＤとに対応する患者情報をデータベース部８１０から検索する（Ｓ２３０）。
【００５２】
続いて、制御部８３０は、Ｓ２３０の検索の結果から、その画像ＩＤとメモリＩＤとに対応する患者情報が有ったか否かを判定する（Ｓ２４０）。
Ｓ２４０の判定結果がＹｅｓの場合、続いて、通信部８２０は、その画像ＩＤとメモリＩＤとに対応する患者情報を、Ｓ２３０で受信された問い合わせ要求に対する応答として、内視鏡ビデオプロセッサ５００へ送信する（Ｓ２５０）。
【００５３】
Ｓ２５０の後、続いて、内視鏡ビデオプロセッサ５００の通信部５３０は、Ｓ２５０で送信された患者情報を受信し、内視鏡ビデオプロセッサ５００の制御部５４０は、その患者情報とＳ２１０で読み出された画像とをモニター４００に表示させる（Ｓ２６０）。
【００５４】
一方、Ｓ２４０の判定結果がＮｏの場合、続いて、サーバ装置８００の通信部８２０は、該当する患者情報が無いことを通知する対応患者情報無し情報を、Ｓ２３０で受信された問い合わせ要求に対する応答として、内視鏡ビデオプロセッサ５００へ送信する（Ｓ２７０）。
【００５５】
Ｓ２７０の後、続いて、内視鏡ビデオプロセッサ５００の通信部５３０は、Ｓ２７０で送信された対応患者情報無し情報を受信し、内視鏡ビデオプロセッサ５００の制御部５４０は、Ｓ２１０で読み出された画像のみをモニター４００に表示させる（Ｓ２８０）。
【００５６】
Ｓ２６０の後、又は、Ｓ２８０の後、続いて、内視鏡ビデオプロセッサ５００の制御部５４０は、検査結果の閲覧が終了したか否かを判定する（Ｓ２９０）。なお、この判定では、例えば、入力装置３００を介して検査結果閲覧終了指示がユーザにより入力された場合にＳ２９０の判定結果がＹｅｓとなり、そうでない場合にはＳ２９０の判定結果がＮｏとなる。
【００５７】
Ｓ２９０の判定において、その判定結果がＮｏの場合には処理がＳ２００へ戻り、それがＹｅｓの場合には本動作が終了する。
なお、図５に示した動作は、可搬型メモリ６００が内視鏡ビデオプロセッサ５００に装着されているとした上で、主に内視鏡ビデオプロセッサ５００とサーバ装置８００との間で行われる動作として説明したが、例えば、可搬型メモリ６００が内視鏡ビデオプロセッサ５００から取り外されて端末装置７００に装着された場合には、同様の動作が主に端末装置７００とサーバ装置８００との間で行われ得る。
【００５８】
この場合、その動作は、図５に示したフローに従って、次のようにして行われる。
まず、Ｓ２００では、端末装置７００の制御部７５０が、入力部７１０を介してユーザにより入力された画像閲覧指示を受け付けたか否かを判定し、その判定結果がＮｏの場合には、本判定を繰り返す。
【００５９】
一方、Ｓ２００の判定結果がＹｅｓの場合、続くＳ２１０では、端末装置７００のメモリアクセス部７３０が、その画像閲覧指示に応じた画像とその画像ＩＤとを可搬型メモリ６００の画像情報記憶領域６２０から読み出すと共に、可搬型メモリ６００のメモリＩＤ記憶領域６１０からメモリＩＤを読み出す。
【００６０】
続くＳ２２０では、端末装置７００の通信部７４０が、Ｓ２１０で読み出された画像（画像閲覧指示に応じた画像）に対応する患者情報をサーバ装置８００に問い合わせるための問い合わせ要求をサーバ装置８００へ送信する。なお、この問い合わせ要求は、Ｓ２１０で読み出された画像ＩＤとメモリＩＤとを含む。
【００６１】
続くＳ２３０では、サーバ装置８００の通信部８２０が、Ｓ２２０で送信された問い合わせ要求を受信し、サーバ装置８００の制御部８３０が、その問い合わせ要求に含まれる画像ＩＤとメモリＩＤとに対応する患者情報をデータベース部８１０から検索する。
【００６２】
続くＳ２４０では、制御部８３０が、Ｓ２３０の検索の結果から、その画像ＩＤとメモリＩＤとに対応する患者情報が有ったか否かを判定する。
Ｓ２４０の判定結果がＹｅｓの場合、続くＳ２５０では、通信部８２０が、その画像ＩＤとメモリＩＤとに対応する患者情報を、Ｓ２３０で受信された問い合わせ要求に対する応答として、端末装置７００へ送信する。
【００６３】
続くＳ２６０では、端末装置７００の通信部７４０が、Ｓ２５０で送信された患者情報を受信し、端末装置７００の制御部７５０が、その患者情報とＳ２１０で読み出された画像とを表示部７２０に表示させる。
【００６４】
一方、Ｓ２４０の判定結果がＮｏの場合、続くＳ２７０では、サーバ装置８００の通信部８２０が、該当する患者情報が無いことを通知する対応患者情報無し情報を、Ｓ２３０で受信された問い合わせ要求に対する応答として、端末装置７００へ送信する。
【００６５】
続くＳ２８０では、端末装置７００の通信部７４０が、Ｓ２７０で送信された対応患者情報無し情報を受信し、端末装置７００の制御部７５０が、Ｓ２１０で読み出された画像のみを表示部７２０に表示させる。
【００６６】
Ｓ２６０の後、又は、Ｓ２８０の後、続くＳ２９０では、端末装置７００の制御部７５０が、検査結果の閲覧が終了したか否かを判定する。なお、この判定では、例えば、端末装置７００の入力部７１０を介して検査結果閲覧終了指示がユーザにより入力された場合にＳ２９０の判定結果がＹｅｓとなり、そうでない場合にはＳ２９０の判定結果がＮｏとなる。
【００６７】
Ｓ２９０の判定において、その判定結果がＮｏの場合には処理がＳ２００へ戻り、その判定結果がＹｅｓの場合には本動作が終了する。
このような動作により、内視鏡検査結果閲覧時には、画像閲覧指示が行われる毎に、その指示に応じた画像とその画像ＩＤとメモリＩＤとが可搬型メモリ６００から読み出され、その画像ＩＤとメモリＩＤとに対応する患者情報の検索が行われる。そして、その患者情報が有った場合には、その患者情報と読み出された画像（画像閲覧指示に応じた画像）とが表示され、その患者情報が無かった場合には、読み出された画像（画像閲覧指示に応じた画像）のみが表示されるようになる。
【００６８】
以上、本実施形態に係る内視鏡システム１００によれば、患者情報が可搬型メモリ６００に記憶されないことから、盗難や紛失等といった不測の事態により可搬型メモリ６００が第三者の手に渡ったとしても、患者情報を保護することができる。
【００６９】
また、本実施形態に係る内視鏡システム１００では、可搬型メモリ６００に記憶されている画像情報が別の可搬型メモリに不正にコピーされ、その別の可搬型メモリが使用された場合であっても、メモリＩＤが異なるために患者情報の表示が行われないようになることから、患者情報を保護することができる。
【００７０】
なお、本実施形態に係る内視鏡システム１００において、内視鏡ビデオプロセッサ５００、端末装置７００、及びサーバ装置８００の各々の動作は、ソフトウェア及びハードウェアの一方又は両方によって実現される。例えば、ソフトウェア、又は、ソフトウェア及びハードウェアによって実現される場合、内視鏡ビデオプロセッサ５００、端末装置７００、及びサーバ装置８００の各々は、ＣＰＵ（Central Processing Unit）、ＲＯＭ（Read Only Memory）、及びＲＡＭ（Random Access Memory）等を含み、ＲＯＭに格納されているプログラムがＲＡＭに格納されてＣＰＵにより実行されることによって、その動作が実現される。また、そのプログラムは、例えば、院内ＬＡＮ９００に接続される外部装置からＲＡＭに格納されてＣＰＵにより実行されるようにしてもよい。また、例えば、内視鏡ビデオプロセッサ５００、端末装置７００、及びサーバ装置８００の各々が媒体読取装置を含み、そのプログラムが、媒体読取装置にセットされた可搬型記憶媒体からＲＡＭに格納されてＣＰＵにより実行されるようにしてもよい。この場合、可搬型記憶媒体として、例えば、ＣＤ−ＲＯＭ（Compact Disc Read Only Memory）、フレキシブルディスク、光ディスク、光磁気ディスク、ＤＶＤ（Digital Versatile Disc）、ＵＳＢメモリなど様々な形式の記憶媒体を使用することができる。
【００７１】
また、本発明に係る医療用システムは、本実施形態に内視鏡システム１００のような内視鏡検査に使用されるシステムに限定されるものではなく、他の医療検査に使用されるシステムに適用するようにしても勿論よい。
【００７２】
以上、上述した実施形態は、発明の理解を容易にするために本発明の具体例を示したものであり、本発明は上述の実施形態に限定されるものではない。本発明は、特許請求の範囲に規定された本発明の思想を逸脱しない範囲において、さまざまな変形、変更が可能である。
【符号の説明】
【００７３】
１００      内視鏡システム
２００      スコープ
３００      入力装置
４００      モニター
５００      内視鏡ビデオプロセッサ
５１０      画像ＩＤ生成部
５２０      メモリアクセス部
５３０      通信部
５４０      制御部
６００      可搬型メモリ
６１０      メモリＩＤ記憶領域
６２０      画像情報記憶領域
７００      端末装置
７１０      入力部
７２０      表示部
７３０      メモリアクセス部
７４０      通信部
７５０      制御部
８００      サーバ装置
８１０      データベース部
８２０      通信部
８３０      制御部
９００      院内ＬＡＮ
【要約】
画像処理装置は、画像識別情報（画像ＩＤ）を生成する生成部と、画像と画像ＩＤとを可搬媒体に書き込む書込部と、可搬媒体から媒体識別情報（媒体ＩＤ）を読み出す第１読出部と、患者情報と画像ＩＤと媒体ＩＤとをサーバへ送信する第１送信部と、可搬媒体から画像と画像ＩＤと媒体ＩＤとを読み出す第２読出部と、第２読出部により読み出された画像ＩＤと媒体ＩＤとをサーバへ送信する第２送信部と、第２送信部により送信された画像ＩＤと媒体ＩＤとに対応する患者情報又は対応患者情報無し情報をサーバから受信する受信部と、第２読出部により読み出された画像と受信部により受信された患者情報、又は、第２読出部により読み出された画像、を表示装置に表示させる表示制御部とを備える。【図１】
0005876197.tif 000002
【図２】
0005876197.tif 000003
【図３】
0005876197.tif 000004
【図４】
0005876197.tif 000005
【図５】
0005876197.tif 000006